(57)【要約】【課題】エッジセンサ、駆動モータ、搬送ローラを、読み取り用と記録用とで共通化した場合、原稿の破損を防止することができる画像通信装置を提供することを目的とするものである。【解決手段】電源オン時に、不揮発性メモリに記憶されている動作状態が、読み取り動作中ではない場合、原稿／記録紙検出手段が記録紙を検出すると、記録紙を排紙するように制御し、不揮発性メモリに記憶されている動作状態が、読み取り動作中である場合、原稿／記録紙検出手段が原稿を検出しても、原稿を排紙しないように制御する制御手段とを有する。【選択図】  図１
2004228611.tif 000002
【特許請求の範囲】
【請求項１】
画像通信装置において、
読み取り動作または記録動作を行う際に、原稿または記録紙の位置を検出するエッジセンサと；
上記原稿または上記記録紙が、原稿／記録紙搬送機構内に存在しているか否かを、上記エッジセンサの出力信号に基づいて検出する原稿／記録紙検出手段と；
不揮発性メモリと；
上記画像通信装置の動作状態を、上記不揮発性メモリに記憶させる動作状態記憶制御手段と；
電源オン時に、上記不揮発性メモリに記憶されている動作状態が、読み取り動作中ではない場合、上記原稿／記録紙検出手段が記録紙を検出すると、記録紙を排紙するように制御し、上記不揮発性メモリに記憶されている動作状態が、読み取り動作中である場合、上記原稿／記録紙検出手段が原稿を検出しても、原稿を排紙しないように制御する制御手段と；
を有することを特徴とする画像通信装置。
【請求項２】
請求項１において、
上記不揮発性メモリは、電池でバックアップされているメモリであることを特徴とする画像通信装置。
【請求項３】
画像通信装置において、
読み取り動作または記録動作を行う際に、原稿または記録紙を搬送する原稿／記録紙搬送機構と；
上記原稿または上記記録紙が、上記原稿／記録紙搬送機構内に存在しているか否かを検出する原稿／記録紙検出手段と；
不揮発性メモリと；
上記画像通信装置の動作状態を、上記不揮発性メモリに記憶させる動作状態記憶制御手段と；
電源オン時に、上記不揮発性メモリに記憶されている動作状態が、読み取り動作中ではない場合、上記原稿／記録紙検出手段が上記記録紙を検出すると、上記記録紙を排紙するように制御し、上記不揮発性メモリに記憶されている動作状態が、読み取り動作中である場合、上記原稿／記録紙検出手段が上記原稿を検出しても、上記原稿を排紙しないように制御する制御手段と；
を有することを特徴とする画像通信装置。
【請求項４】
請求項３において、
上記原稿／記録紙搬送機構は、エッジセンサ、駆動モータ、搬送ローラのうちで、少なくとも１つを有する機構であることを特徴とする画像通信装置。
【請求項５】
請求項３において、
上記不揮発性メモリは、電池でバックアップされているメモリであることを特徴とする画像通信装置。
【請求項６】
画像通信装置において、
読み取り動作または記録動作を行う際に、原稿または記録紙が搬送される原稿／記録紙搬送機構と；
原稿または記録紙が原稿／記録紙搬送機構内に存在しているか否かを検出する原稿／記録紙検出手段と；
不揮発性メモリと；
上記画像通信装置の動作状態を、上記不揮発性メモリに記憶させる動作状態記憶制御手段と；
電源オン時に、上記不揮発性メモリに記憶されている動作状態が、読み取り動作中ではない場合、上記原稿／記録紙検出手段が上記記録紙を検出すると、上記記録紙を排紙するように制御し、上記不揮発性メモリに記憶されている動作状態が、読み取り動作中である場合、上記原稿／記録紙検出手段が上記原稿を検出しても、上記原稿を排紙しないように制御するとともに、上記原稿を取り除くように指示するメッセージを表示するように制御する制御手段と；
を有することを特徴とする画像通信装置。
【請求項７】
請求項６において、
上記原稿／記録紙搬送機構は、エッジセンサ、駆動モータ、搬送ローラのうちの少なくとも１つであることを特徴とする画像通信装置。
【請求項８】
請求項６において、
上記不揮発性メモリは、電池でバックアップされているメモリであることを特徴とする画像通信装置。
【請求項９】
請求項１〜請求項８のいずれか１項において、
上記画像通信装置は、ファクシミリ装置であることを特徴とする画像通信装置。
【請求項１０】
読み取り動作または記録動作を行う際に、原稿または記録紙の位置を検出するエッジセンサと、不揮発性メモリとを備えている画像通信装置の制御方法において、
上記原稿または上記記録紙が、原稿／記録紙搬送機構内に存在しているか否かを、上記エッジセンサの出力信号に基づいて検出する原稿／記録紙検出段階と；
上記画像通信装置の動作状態を、上記不揮発性メモリに記憶させる動作状態記憶制御段階と；
電源オン時に、上記不揮発性メモリに記憶されている動作状態が、読み取り動作中ではない場合、上記原稿／記録紙検出段階で記録紙を検出すると、記録紙を排紙するように制御し、上記不揮発性メモリに記憶されている動作状態が、読み取り動作中である場合、上記原稿／記録紙検出段階で原稿を検出しても、原稿を排紙しないように制御する制御段階と；
を有することを特徴とする画像通信装置の制御方法。
【請求項１１】
請求項１０において、
上記不揮発性メモリは、電池でバックアップされているメモリであることを特徴とする画像通信装置の制御方法。
【請求項１２】
不揮発性メモリを備えている画像通信装置の制御方法において、
読み取り動作または記録動作を行う際に、原稿または記録紙を搬送する原稿／記録紙搬送機構内に、原稿または上記記録紙が存在しているか否かを検出する原稿／記録紙検出段階と；
上記画像通信装置の動作状態を、上記不揮発性メモリに記憶させる動作状態記憶制御段階と；
電源オン時に、上記不揮発性メモリに記憶されている動作状態が、読み取り動作中ではない場合、上記原稿／記録紙検出段階で上記記録紙を検出すると、上記記録紙を排紙するように制御し、上記不揮発性メモリに記憶されている動作状態が、読み取り動作中である場合、上記原稿／記録紙検出段階で上記原稿を検出しても、上記原稿を排紙しないように制御する制御段階と；
を有することを特徴とする画像通信装置の制御方法。
【請求項１３】
請求項１２において、
上記原稿／記録紙搬送機構は、エッジセンサ、駆動モータ、搬送ローラのうちで、少なくとも１つを有する機構であることを特徴とする画像通信装置の制御方法。
【請求項１４】
請求項１２において、
上記不揮発性メモリは、電池でバックアップされているメモリであることを特徴とする画像通信装置の制御方法。
【請求項１５】
不揮発性メモリを備えている画像通信装置の制御方法において、
読み取り動作または記録動作を行う際に、原稿または記録紙が搬送される原稿／記録紙搬送機構内に、原稿または記録紙が存在しているか否かを検出する原稿／記録紙検出段階と；
上記画像通信装置の動作状態を、上記不揮発性メモリに記憶させる動作状態記憶制御段階と；
電源オン時に、上記不揮発性メモリに記憶されている動作状態が、読み取り動作中ではない場合、上記原稿／記録紙検出段階で上記記録紙を検出すると、上記記録紙を排紙するように制御し、上記不揮発性メモリに記憶されている動作状態が、読み取り動作中である場合、上記原稿／記録紙検出段階で上記原稿を検出しても、上記原稿を排紙しないように制御するとともに、上記原稿を取り除くように指示するメッセージを表示するように制御する制御段階と；
を有することを特徴とする画像通信装置の制御方法。
【請求項１６】
請求項１５において、
上記原稿／記録紙搬送機構は、エッジセンサ、駆動モータ、搬送ローラのうちの少なくとも１つであることを特徴とする画像通信装置の制御方法。
【請求項１７】
請求項１５において、
上記不揮発性メモリは、電池でバックアップされているメモリであることを特徴とする画像通信装置の制御方法。
【請求項１８】
請求項１０〜請求項１７のいずれか１項において、
上記画像通信装置は、ファクシミリ装置であることを特徴とする画像通信装置の制御方法。
【発明の詳細な説明】
【０００１】
【発明の属する技術分野】
本発明は、読み取り動作を行う際に原稿を搬送する原稿搬送経路を具備し、また、記録動作を行う際に記録紙を搬送する記録搬送経路を具備するファクシミリ装置等の画像通信装置およびその制御方法に関する。
【０００２】
【従来の技術】
従来のファクシミリ装置では、読み取り動作を行う際に原稿を搬送する原稿搬送経路と、記録動作を行う際に記録紙を搬送する記録搬送経路とが、完全に分離されている。
【０００３】
【発明が解決しようとする課題】
しかし、上記従来例では、エッジセンサ、駆動モータ、搬送ローラを、読み取りと記録とに、それぞれ、別々に設ける必要があり、ファクシミリ装置の小型化、コストダウンの面で不利であるという問題がある。
【０００４】
そこで、エッジセンサ、駆動モータ、搬送ローラを、読み取りと記録とで、共用することが考えられる。
【０００５】
ところで、従来のファクシミリ装置では、電源オン時に、記録紙搬送機構内に記録紙が存在していれば、記録可能な状態に復旧させるために、記録紙を自動排紙するように制御され、一方、原稿搬送機構内に原稿が存在していれば、原稿搬送機構から原稿を排出することによる原稿の破損を阻止する観点から、つまり原稿を保護する観点から、自動排紙しないように制御される。
【０００６】
そして、エッジセンサ、駆動モータ、搬送ローラを、読み取りと記録とで、共用するようにした場合、エッジセンサを共用することによって、電源オン時に、原稿／記録紙搬送機構内に紙が存在している場合は、それが記録紙であるのか、原稿であるのかを判別することができないので、原稿／記録紙搬送機構内に存在している紙を、一律に排紙をすると、その存在している紙が原稿であれば、その原稿を破損するという問題が生じる。
【０００７】
本発明は、エッジセンサ、駆動モータ、搬送ローラを、読み取り用と記録用とで共通化した場合、原稿の破損を防止することができる画像通信装置およびその制御方法を提供することを目的とするものである。
【０００８】
【課題を解決するための手段】
本発明は、画像通信装置において、読み取り動作または記録動作を行う際に、原稿または記録紙の位置を検出するエッジセンサと、上記原稿または上記記録紙が、原稿／記録紙搬送機構内に存在しているか否かを、上記エッジセンサの出力信号に基づいて検出する原稿／記録紙検出手段と、不揮発性メモリと、上記画像通信装置の動作状態を、上記不揮発性メモリに記憶させる動作状態記憶制御手段と、電源オン時に、上記不揮発性メモリに記憶されている動作状態が、読み取り動作中ではない場合、上記原稿／記録紙検出手段が記録紙を検出すると、記録紙を排紙するように制御し、上記不揮発性メモリに記憶されている動作状態が、読み取り動作中である場合、上記原稿／記録紙検出手段が原稿を検出しても、原稿を排紙しないように制御する制御手段とを有することを特徴とする画像通信装置である。
【０００９】
【発明の実施の形態と実施例】
図１は、本発明の一実施例であるファクシミリ装置１００の構成を示すブロック図である。
【００１０】
ファクシミリ装置１００は、ＣＰＵ１０１と、ＲＯＭ１０２と、ＮＶＲＡＭ１０３と、ＲＡＭ１０４と、表示部１０５と、読取部１０６と、記録部１０７と、エッジセンサ１０８と、操作部１０９と、ＭＯＤＥＭ１１０と、ＮＣＵ１１１とを有する。
【００１１】
ＣＰＵ１０１は、ファクシミリ装置１００の制御を行い、ＲＯＭ１０２は、ファクシミリ装置１００の制御プログラム等を格納するメモリであり、ＮＶＲＡＭ１０３は、各種登録データと動作モード変数とを格納する不揮発性メモリであり、この不揮発性メモリは、電池でバックアップされている。ＲＡＭ１０４は、画像データを格納し、動作に必要なワークメモリとして使用するメモリであり、表示部１０５は、ファクシミリ装置１００の状態等を表示する。
【００１２】
読取部１０６は、送信やコピーを行う際、原稿を読み取るものであり、記録部１０７は、受信した画像や、コピーで読み取った画像を記録するものである。エッジセンサ１０８は、原稿／記録紙搬送機構内に紙が存在しているか否かを検出するものであり、操作部１０９は、複数のキーによって構成され、各種操作の指示を行うものである。ＭＯＤＥＭ１１０は、読取部で読み取った画像を符号化し、また、受信した画像を復号化するものであり、ＮＣＵ１１１は、通信やパルス信号を送出するために網制御を行うものである。
【００１３】
つまり、エッジセンサ１０８は、読み取り動作または記録動作を行う際に、原稿または記録紙の位置を検出するエッジセンサの例である。ＣＰＵ１０１は、原稿または記録紙が、原稿／記録紙搬送機構内に存在しているか否かを、上記エッジセンサの出力信号に基づいて検出する原稿／記録紙検出手段の例である。
【００１４】
ＮＶＲＡＭ１０３は、不揮発性メモリの例である。ＣＰＵ１０１は、画像通信装置の動作状態を、不揮発性メモリに記憶させる動作状態記憶制御手段の例である。
【００１５】
また、ＣＰＵ１０１は、電源オン時に、上記不揮発性メモリに記憶されている動作状態が、読み取り動作中ではない場合、上記原稿／記録紙検出手段が記録紙を検出すると、記録紙を排紙するように制御し、上記不揮発メモリに記憶されている動作状態が、読み取り動作中である場合、上記原稿／記録紙検出手段が原稿を検出しても、原稿を排紙しないように制御する制御手段の例である。
【００１６】
さらに、ＣＰＵ１０１は、電源オン時に、上記不揮発性メモリに記憶されている動作状態が、読み取り動作中ではない場合、上記原稿／記録紙検出手段が上記記録紙を検出すると、上記記録紙を排紙するように制御し、上記不揮発性メモリに記憶されている動作状態が、読み取り動作中である場合、上記原稿／記録紙検出手段が上記原稿を検出しても、上記原稿を排紙しないように制御するとともに、上記原稿を取り除くように指示するメッセージを表示するように制御する制御手段の例である。
【００１７】
図２、図３は、ファクシミリ装置１００の構成を示す機構図である。
【００１８】
ファクシミリ装置１００において、エッジセンサ１０８に接続されているアクチュエイタ２１、駆動モータ２０、搬送ローラ１０は、読み取り動作時と、記録動作時とに、共用されている。
【００１９】
アクチュエイタ２１、駆動モータ２０、搬送ローラ１０は、読み取り動作時と、記録動作時とに、共用され、読み取り動作または記録動作を行う際に、原稿または記録紙を搬送する原稿／記録紙搬送機構の例である。なお、この原稿／記録紙搬送機構は、エッジセンサ、駆動モータ、搬送ローラのうちで、少なくとも１つによって構成されている。
【００２０】
次に、上記実施例の動作について説明する。
【００２１】
ファクシミリ装置１００において、コピー動作を行う場合には、まず、読み取り動作から実行するので、ＮＶＲＡＭ１０３内に格納されている動作モード変数に、読み取り中であることを示す「０１」を書き込む。そして、読取部１０６が原稿を読み取る。つまり、原稿分離ローラ１５が回転することによって、原稿１２が搬送されると、アクチュエイタ２１を押し上げ、エッジセンサ１０８がオンになる。ＣＳ（コンタクトイメージセンサ）２２の位置まで、原稿１２が搬送されると、スキャンを開始し、読み取られたデータは、ＲＡＭ１０４に一時的に格納される。
【００２２】
原稿１２の後端が、アクチュエイタ２１を通過すると、エッジセンサ１０８がオフになる。原稿１２の後端が、ＣＳ２２の位置に来ると、スキャンを停止し、排紙ローラ１７によって排紙する。
【００２３】
次に、記録動作を行うので、ＮＶＲＡＭ１０３内の動作モード変数に、記録中であることを示す「０２」を書き込む。そして、記録部１０７によって記録が行われる。つまり、記録分離ローラ１９が回転し、記録紙２を搬送すると、アクチュエイタ２１を押し上げ、エッジセンサ１０８がオンになる。インクカートリッジ１の位置まで記録紙２が搬送されると、ＲＡＭ１０４に格納されている画像データの印字を開始する。記録紙２の後端が、アクチュエイタ２１を通過すると、エッジセンサ１０８がオフになる。記録紙２の後端が、インクカートリッジ１の位置に来ると、印字を停止し、排紙ローラ１７によって排紙する。
【００２４】
記録が終わると、コピー動作が終了するので、ＮＶＲＡＭ１０３内の動作モード変数に、待機状態であることを示す「００」が書き込まれる。
【００２５】
次に、ファクシミリ装置１００における電源オン時の制御動作について説明する。
【００２６】
図４は、ファクシミリ装置１００における電源オン時の制御動作を示すフローチャートである。
【００２７】
ファクシミリ装置１００の電源がオンされると、電源がオフされる前の動作状態を、ＮＶＲＡＭ１０３から読み出す（Ｓ１、Ｓ２）。電源がオフされる前の動作状態が、読み取り動作中であることを示す「０１」でなければ、ステップＳ３に進み、エッジセンサ１０８の状態を調べる。エッジセンサ１０８がオンである場合、紙搬送機構内に記録紙が存在しているので、記録紙を排出し（Ｓ４）、待機状態へ移行する。ステップＳ３において、エッジセンサ１０８がオフである場合は、そのまま待機状態へ移行する。
【００２８】
一方、ステップＳ２において、ＮＶＲＡＭ１０３から読み出された動作状態（電源がオフされる前の動作状態）が、読み取り動作中であることを示す「０１」であれば、ステップＳ５に進み、エッジセンサ１０８の状態を調べる。エッジセンサ１０８がオンである場合に、「原稿を取り除いてください」というメッセージを、表示部１０５に表示し、待機状態へ移行する（Ｓ６）。
【００２９】
ここで、ステップＳ４の動作とは異なり、自動排紙を行わないのは、何らかの原因で原稿が詰まっていた場合に自動排紙することによる原稿の破損を阻止するためである。ステップＳ５において、エッジセンサ１０８がオフである場合は、そのまま待機状態へ移行する。
【００３０】
なお、上記実施例を、ファクシミリ装置１００以外の画像通信装置に適用するようにしてもよい。
【００３１】
また、上記実施例を、次の実施形態として把握することができる。
【００３２】
［実施形態１］  画像通信装置において、
読み取り動作または記録動作を行う際に、原稿または記録紙の位置を検出するエッジセンサと；
上記原稿または上記記録紙が、原稿／記録紙搬送機構内に存在しているか否かを、上記エッジセンサの出力信号に基づいて検出する原稿／記録紙検出手段と；
不揮発性メモリと；
上記画像通信装置の動作状態を、上記不揮発性メモリに記憶させる動作状態記憶制御手段と；
電源オン時に、上記不揮発性メモリに記憶されている動作状態が、読み取り動作中ではない場合、上記原稿／記録紙検出手段が記録紙を検出すると、記録紙を排紙するように制御し、上記不揮発性メモリに記憶されている動作状態が、読み取り動作中である場合、上記原稿／記録紙検出手段が原稿を検出しても、原稿を排紙しないように制御する制御手段と；
を有することを特徴とする画像通信装置。
【００３３】
［実施形態２］  実施形態１において、
上記不揮発性メモリは、電池でバックアップされているメモリであることを特徴とする画像通信装置。
【００３４】
［実施形態３］  画像通信装置において、
読み取り動作または記録動作を行う際に、原稿または記録紙を搬送する原稿／記録紙搬送機構と；
上記原稿または上記記録紙が、上記原稿／記録紙搬送機構内に存在しているか否かを検出する原稿／記録紙検出手段と；
不揮発性メモリと；
上記画像通信装置の動作状態を、上記不揮発性メモリに記憶させる動作状態記憶制御手段と；
電源オン時に、上記不揮発性メモリに記憶されている動作状態が、読み取り動作中ではない場合、上記原稿／記録紙検出手段が上記記録紙を検出すると、上記記録紙を排紙するように制御し、上記不揮発性メモリに記憶されている動作状態が、読み取り動作中である場合、上記原稿／記録紙検出手段が上記原稿を検出しても、上記原稿を排紙しないように制御する制御手段と；
を有することを特徴とする画像通信装置。
【００３５】
［実施形態４］  実施形態３において、
上記原稿／記録紙搬送機構は、エッジセンサ、駆動モータ、搬送ローラのうちで、少なくとも１つを有する機構であることを特徴とする画像通信装置。
【００３６】
［実施形態５］  実施形態３において、
上記不揮発性メモリは、電池でバックアップされているメモリであることを特徴とする画像通信装置。
【００３７】
［実施形態６］  画像通信装置において、
読み取り動作または記録動作を行う際に、原稿または記録紙が搬送される原稿／記録紙搬送機構と；
原稿または記録紙が原稿／記録紙搬送機構内に存在しているか否かを検出する原稿／記録紙検出手段と；
不揮発性メモリと；
上記画像通信装置の動作状態を、上記不揮発性メモリに記憶させる動作状態記憶制御手段と；
電源オン時に、上記不揮発性メモリに記憶されている動作状態が、読み取り動作中ではない場合、上記原稿／記録紙検出手段が上記記録紙を検出すると、上記記録紙を排紙するように制御し、上記不揮発性メモリに記憶されている動作状態が、読み取り動作中である場合、上記原稿／記録紙検出手段が上記原稿を検出しても、上記原稿を排紙しないように制御するとともに、上記原稿を取り除くように指示するメッセージを表示するように制御する制御手段と；
を有することを特徴とする画像通信装置。
【００３８】
［実施形態７］  実施形態６において、
上記原稿／記録紙搬送機構は、エッジセンサ、駆動モータ、搬送ローラのうちの少なくとも１つであることを特徴とする画像通信装置。
【００３９】
［実施形態８］  実施形態６において、
上記不揮発性メモリは、電池でバックアップされているメモリであることを特徴とする画像通信装置。
【００４０】
［実施形態９］  実施形態１〜実施形態８のいずれか１項において、
上記画像通信装置は、ファクシミリ装置であることを特徴とする画像通信装置。
【００４１】
上記実施例によれば、エッジセンサ、駆動モータ、搬送ローラを、読み取り用と記録用とで共通化した場合、原稿の破損を防止することができる。
【００４２】
【発明の効果】
本発明によれば、エッジセンサ、駆動モータ、搬送ローラを、読み取り用と記録用とで共通化した場合、原稿の破損を防止することができるという効果を奏する。
【図面の簡単な説明】
【図１】本発明の一実施例であるファクシミリ装置１００の構成を示すブロック図である。
【図２】ファクシミリ装置１００の構成を示す機構図である。
【図３】ファクシミリ装置１００の構成を示す機構図である。
【図４】ファクシミリ装置１００における電源オン時の制御動作を示すフローチャートである。
【符号の説明】
１…インクカートリッジ、
２…記録紙、
１７…排紙ローラ、
１０…搬送ローラ、
２０…駆動モータ、
２１…アクチュエイタ、
２２…ＣＳ（コンタクトイメージセンサ）、
１００…ファクシミリ装置、
１０１…ＣＰＵ、
１０２…ＲＯＭ、
１０３…ＮＶＲＡＭ、
１０４…ＲＡＭ、
１０５…表示部、
１０６…読取部、
１０７…記録部、
１０８…エッジセンサ、
１０９…操作部、
１１０…ＭＯＤＥＭ、
１１１…ＮＣＵ。
【図１】
2004228611.tif 000003
【図２】
2004228611.tif 000004
【図３】
2004228611.tif 000005
【図４】
2004228611.tif 000006